(57)【要約】【課題】チェーンステイに相対して回転する現象を回避できる自転車スタンドを提供する。【解決手段】自転車スタンド１００は本体２００と、本体２００に枢設するスタンド棒３００と、本体２００に螺固する挟台４００と、を含む。ソフトガスケットは挟台４００に接触し本体２００方向へ向かい、止付ネジ６００を通して挟台４００に螺合し、各一端により挟台４００を貫通しソフトガスケット５００を圧迫して局部を圧縮変形させ、こうして自転車７００を挟み押さえる。これにより多数の定位作用施力点を形成し、チェーンステイ７１０に相対して回転する、従前の自転車スタンド１００に発生する現象を回避できる。【選択図】図１
0003234713.tif 000002
【実用新案登録請求の範囲】
【請求項１】
自転車スタンドは、
本体と、
スタンド棒と、
挟台と、
ソフトガスケットと、
止付ネジ群と、
を含み、
前記スタンド棒は、前記本体の下端に枢設され、
前記挟台は、複数のボルトを通して、前記本体に螺固され、
前記ソフトガスケットは、前記挟台の内向き側に接触し、前記本体方向に向かい、
前記止付ネジ群は、前記挟台に螺合し、それぞれ押し上げ端により前記挟台を貫通し、前記ソフトガスケットを圧迫し、局部を圧縮変形させることを特徴とする自転車スタンド。
【請求項２】
前記挟台の内向き側は、
上平面と、
下平面と、
前記上平面および前記下平面につながる湾曲面と、
を含み、
前記挟台は、外向き側を含み、
且つ前記外向き側は、
上凸部と、
下凸部と、
前記上凸部およびと前記下凸部の間につながる凹部と、
を含み、
前記挟台の前記上凸部には、複数の上穿孔を設置し、前記上平面を貫通し、前記挟台の前記下凸部には、複数の下穿孔を設置し、前記下平面を貫通し、前記止付ネジ群は、前記複数の上穿孔と前記複数の下穿孔にそれぞれ通して設置されることを特徴とする請求項１記載の自転車スタンド。
【請求項３】
前記複数の上穿孔は、その軸方向に沿って中心線Ｌ１を設置し、前記複数の上穿孔は、その軸方向に沿って中心線Ｌ２を設置し、前記中心線Ｌ１と前記中心線Ｌ２の挟角の角度は５０度から７０度であることを特徴とする請求項２記載の自転車スタンド。
【請求項４】
前記止付ネジ群の押し上げ端が前記挟台を貫通していない時、前記止付ネジ群の各１個の駆動端が、前記挟台の外向き側に露出すれば、前記止付ネジ群は、警告状態を呈し、
前記止付ネジ群の押し上げ端が前記挟台を貫通すれば、前記止付ネジ群の各駆動端は前記挟台の外向き側に露出せず、前記止付ネジ群は押し込み状態を呈し、前記ソフトガスケットを圧迫し、局部を圧縮変形させることを特徴とする請求項１記載の自転車スタンド。
【請求項５】
前記ソフトガスケットは、
密着部と、
２個の位置制限部と、
を含み、
前記２個の位置制限部は、前記密着部の両端にそれぞれ突出するように設置され、
前記密着部は、
前記内向き側に密着する対応側と、
前記対応側方向に反対の挟み押さえ側と、
を含み、
前記２個の位置制限部は、前記挟台の２個の端側においてそれぞれ係合し位置を制限し、
前記ソフトガスケットの対応側には、複数の凸紋を、間隔をあけて設置し、前記２個の位置制限部の方向へと延伸し、
前記本体は、
延伸部と、
枢部と、
を含み、
前記枢部には、前記スタンド棒の一端を枢設し、前記挟台は、前記複数のボルトにより、前記本体の延伸部に螺固され、
更に弾性ガスケットと、
を含み、
前記本体の延伸部に接触し、
前記弾性ガスケットは、
密着部と、
２個の位置制限部と、
を含み、
前記弾性ガスケットの前記２個の位置制限部は、前記弾性ガスケットの前記密着部両端にそれぞれ突出するように設置され、
前記弾性ガスケットの前記密着部は、
前記延伸部に密着する対応側と、
前記対応側方向に反対の挟み押さえ側と、
を含み、
前記弾性ガスケットの前記２個の位置制限部は、前記延伸部の２個の端側にそれぞれ係合して位置を制限し、
前記弾性ガスケットの対応側には、複数の凸紋を、間隔をあけて設置し、前記弾性ガスケットの２個の位置制限部の方向へと延伸することを特徴とする請求項１記載の自転車スタンド。
【考案の詳細な説明】
【技術分野】
【０００１】
本考案は、スタンドに関するもので、特に自転車に取り付け、駐輪に使用する自転車スタンドに係る。
【背景技術】
【０００２】
都市においては土地の取得に限界があり、人口が密集して働き、暮らしているため、交通の面で駐車スペース、駐車料金、渋滞等の問題を考慮しなければならない。
そのため、多くの人が自転車を短距離通勤の手段として選択し、または公共交通機関を主たる手段として選択し、それに自転車または徒歩を組み合わせて目的地へと向かうようにしている。
つまり、自転車は都市における短距離の移動、または通勤に適した交通手段の一つである。
一般に自転車はフレームにスタンド（駐車用スタンド）を配置する。足でスタンドを蹴り動かすと、スタンドの一端は力を受けて動き地面に接触し、こうして地面に駐車することができる。
【０００３】
特許文献１、特許文献２、特許文献３に開示するように、自転車フレームのチェーンステイ横断面は円形構造が採用されることが多い。
前記スタンドは、チェーンステイの円形横断面に対応するため、弧状でなければ、チェーンステイの表面を挟持することはできない。
さらに、チェーンステイの上方と下方位置にボルトを貫通して螺固しなければ、スタンドは二方向からチェーンステイを挟持して固定することはできない。
しかし、使用において、前記スタンドには以下の問題がある。
【０００４】
第一に、スタンドは、チェーンステイの円形横断面に対応するため、弧状を採用し挟持および定位する方式を採用するが、フレーム表面は滑らかな構造であるため、スタンドがチェーンステイに対して滑り、さらには回ってしまう現象が発生すれば、スタンドが自転車の重量を堅固に支えられない状況が発生し、一旦停止した自転車は傾き、地面に衝突し、損傷してしまう。
第二に、上述した問題の発生を回避するため、スタンドが緩んでいないかどうか（ボルトがしっかり締められているかどうか）を常に検査する必要がある。
第三に、上述した第二点の検査を行う際にボルトを締める時、力を入れてボルトを締めることで、ボルトがスタンドを圧迫し弧状部位が変形することがあるが、スタンド弧状部位が過度に変形すれば、チェーンステイを挟持する作用が失われ、変形が深刻なら、スタンド弧状部位の断裂が発生し使用不能となる。
拠って、新しい技術を研究し、上述の問題を改善する必要がある。
【先行技術文献】
【特許文献】
【０００５】
【特許文献１】台湾実用新案Ｍ２９０８４１号明細書
【特許文献２】台湾実用新案Ｍ４６８４６６号明細書
【特許文献３】中国実用新案ＣＮ２１０５５５２７４Ｕ号明細書
【考案の概要】
【考案が解決しようとする課題】
【０００６】
本考案は、現在の技術の欠点を解決する自転車スタンドを提供することを主な目的とする。
【課題を解決するための手段】
【０００７】
上述の目的を実現するため、本考案は以下の技術を提案する。
【０００８】
自転車スタンドは本体と、スタンド棒と、挟台と、ソフトガスケットと、止付ネジ群と、を含む。スタンド棒は、本体の下端に枢設される。挟台は、複数のボルトを通して、本体に螺固於される。ソフトガスケットは、挟台の内向き側に接触し、本体方向に向かう。止付ネジ群は、挟台に螺合し、それぞれ押し上げ端により挟台を貫通し、ソフトガスケットを圧迫し、局部を圧縮変形させ、自転車を挟み押さえる。
【考案の効果】
【０００９】
本考案を従前の技術と比較すると、明らかな長所と効果を有する。
具体的にはチェーンステイに相対して回転する現象を回避できる。
【００１０】
本考案の構造、技術的手段および達成する具体的目的と機能を明らかにするため、以下に図式と共に具体的実施例を挙げて詳細に説明する。
【図面の簡単な説明】
【００１１】
【図１】本考案の立体組合せ図である。
【図２】本考案の部分分解立体構造概念図である。
【図３】本考案を自転車に取り付けた立体構造概念図である。
【図４】図３のIV−IV線でカットした断面構造概念図である。
【図５】図４において、止付ネジ群がソフトガスケットを押し、自転車（チェーンステイ）を挟み押さえる様子を示す構造概念図である。
【図６】本考案の挟台の断面構造概念図である。
【図７】本考案を多辺形断面の自転車チェーンステイに応用する例を示す概念図である。
【図８】本考案のソフトガスケット、弾性ガスケットの別種の実施例の部分分解立体構造概念図である。
【考案を実施するための形態】
【実施例】
【００１２】
図１から図５に示すのは、本考案の実施例の具体的な構造を示したものである。
自転車スタンド１００は、本体２００、スタンド棒３００、挟台４００、ソフトガスケット５００、止付ネジ群６００を含む。
スタンド棒３００は、本体２００の下端に枢設される。
挟台４００は、複数のボルト１１０を通して、本体２００に螺固される。
ソフトガスケット５００は、挟台４００の内向き側４１０に接触し、本体２００方向に向かう。
止付ネジ群６００は、挟台４００に螺合し、それぞれ押し上げ端６１０により挟台４００を貫通し、ソフトガスケット５００を圧迫し、局部を圧縮変形させ、本体２００に対応し自転車７００に取り付ける（ここではチェーンステイ７１０外表面を例とする）。
【００１３】
前記ボルト１１０は３個を例とする。
２個は、チェーンステイ７１０上方位置を跨ぎ、残りの１個は、チェーンステイ７１０下方位置を跨ぐ。
止付ネジ群６００は、４個を例とする。
【００１４】
本考案による自転車スタンド１００を自転車７００に取り付けた時、本体２００は、チェーンステイ７１０内側のタイヤに近い箇所に位置し、挟台４００は、チェーンステイ７１０外側に位置する。
先ず、ボルト１１０を通して、挟台４００を本体２００に螺固する。
これにより、ソフトガスケット５００の一部は、チェーンステイ７１０表面に接触し、自転車スタンド１００のチェーンステイ７１０位置への固定の第一段階が完成する。
手工具（図示なし）を用いて止付ネジ群６００を締めると、止付ネジ群６００は挟台４００方向へと移動する。
止付ネジ群６００の押し上げ端６１０はソフトガスケット５００の内向き側４１０を圧迫し、ソフトガスケット５００は、止付ネジ群６００に圧迫作用により局部が変形し、更にチェーンステイ７１０部位を圧迫し、これにより多数の定位作用施力点を形成する。
このような状況下で、チェーンステイ７１０に相対して回転する、従前の自転車スタンドに発生する現象を回避できる。
【００１５】
本考案による自転車スタンド１００の構成部材の細部の特徴と相互の組合せ関係について詳細に説明する。
挟台４００の内向き側４１０は、上平面４１１、下平面４１２、上平面４１１と下平面４１２につながる湾曲面４１３を含む。
上平面４１１、湾曲面４１３、下平面４１２の組合せ使用により、円形、楕円形、水滴形または多変形断面形態のチェーンステイに適応可能である（図６、７参照）。
【００１６】
挟台４００は、外向き側４２０を含み、且つ外向き側４２０は、上凸部４２１、下凸部４２２、および上凸部４２１と下凸部４２２の間につながる凹部４２３を含む。
挟台４００の上凸部４２１には、複数の上穿孔４２４を設置し、上平面４１１を貫通し、挟台４００の下凸部４２２には、複数の下穿孔４２５を設置し、下平面４１２を貫通する。
【００１７】
止付ネジ群６００は、複数の上穿孔４２４と複数の下穿孔４２５にそれぞれ通して設置される。
前記上穿孔４２４は、２個が間隔をあけて上凸部４２１に設置される形態で、下穿孔４２５は、２個が間隔をあけて下凸部４２２に設置される形態である。
上凸部４２１、下凸部４２２の形態により、上穿孔４２４、下穿孔４２５を設置し、これにより止付ネジ群６００は堅固に上穿孔４２４、下穿孔４２５に螺合され、ソフトガスケット５００材質そのものから来る変形反作用力を均一に分散する。
挟台４００は、外向き側４２０に設置する凹部４２３により、挟台４００全体の重量を減らし、上凸部４２１と下凸部４２２の位置を離して、目視での識別性を高める。
【００１８】
図６に示すとおり、複数の上穿孔４２４はその軸方向に沿って中心線Ｌ１を設置し、複数の上穿孔４２４は、その軸方向に沿って中心線Ｌ２を設置する。
中心線Ｌ１と中心線Ｌ２の挟角の角度は５０度から７０度で、好ましくは挟角の角度は６０度である。
こうして、止付ネジ群６００は、前記角度範囲の補助の下、ソフトガスケット５００を通して、チェーンステイ７１０の弧面接触範囲内に対応し、分散且つ間隔をあけた施力作用を呈する。
【００１９】
図４に示すとおり、止付ネジ群６００の押し上げ端６１０が、複数の上穿孔４２４と複数の下穿孔４２５をそれぞれ貫通していない時、止付ネジ群６００は、各１個の駆動端６２０が挟台４００の外向き側４２０に露出し、これにより止付ネジ群６００は、警告状態を呈する。
止付ネジ群６００の押し上げ端６１０は、複数の上穿孔４２４と複数の下穿孔４２５を貫通すると、止付ネジ群６００の各駆動端６２０は挟台４００の外向き側４２０に露出せず、これにより止付ネジ群６００は押し込み状態を呈し、ソフトガスケット５００を圧迫し、局部を圧縮変形させる（図５参照）。
本考案は止付ネジ群６００の駆動端６２０が、挟台４００の外向き側４２０に露出するか、露出しないかの２種の位置関係により、それぞれ警告／提示作用を呈し、自転車スタンド１００が自転車のチェーンステイ７１０に堅固に取り付けられているかどうかを使用者は便利に目視で判断できる。
【００２０】
ソフトガスケット５００が、密着部５１０および２個の位置制限部５２０を含むことは特筆に値する。
２個の位置制限部５２０は、密着部５１０の両端にそれぞれ突出するように設置される。
密着部５１０は、内向き側４１０に密着する対応側５３０、および対応側５３０方向に反対の挟み押さえ側５４０を含む。
２個の位置制限部５２０は、挟台４００の２個の端側４３０においてそれぞれ係合し位置を制限し、２個の端側４３０は、内向き側４１０と外向き側４２０にそれぞれ連接する。
前記ソフトガスケット５００は、位置制限部５２０を通して、挟台４００の端側４３０においてそれぞれ係合して位置を制限し、これによりソフトガスケット５００はぐらぐらすることなく、挟台４００の内向き側４１０位置に取り付けられる。
【００２１】
図８に示すとおり、ソフトガスケット５００の対応側５３０には、複数の凸紋５５０を、間隔をあけて設置し、２個の位置制限部の方向へと延伸する。
ソフトガスケット５００は凸紋５５０を通して、チェーンステイ７１０と接触する摩擦抵抗力を拡大できる。
【００２２】
本体２００は、延伸部２１０と枢部２２０を含む。
枢部２２０には、スタンド棒３００の一端を枢設し、挟台４００は、複数のボルト１１０により、本体２００の延伸部２１０に螺固される。
更に弾性ガスケット２３０を含み、本体２００の延伸部２１０に接触する。
弾性ガスケット２３０は、密着部２３１および２個の位置制限部２３２を含み、２個の位置制限部２３２は、密着部２３１の両端にそれぞれ突出するように設置される。
密着部２３１は、延伸部２１０に密着する対応側２３３、および対応側２３３に反対方向の挟み押さえ側２３４を含む。
２個の位置制限部２３２は、延伸部２１０の２個の端側にそれぞれ係合して位置を制限する。
弾性ガスケット２３０の対応側２３３には、複数の凸紋２３５を、間隔をあけて設置し、２個の位置制限部２３２の方向へと延伸する。
弾性ガスケット２３０は、前記ソフトガスケット５００とおおよそ同じで、弾性ガスケット２３０とソフトガスケット５００を通して、自転車スタンド１００は自転車チェーンステイ７１０位置を両方向から挟み押さえて定位する。
【符号の説明】
【００２３】
１００  自転車スタンド
１１０  ボルト
２００  本体
２１０  延伸部
２２０  枢部
２３０  弾性ガスケット
２３１  密着部
２３２  位置制限部
２３３  対応側
２３４  挟み押さえ側
２３５  凸紋
３００  スタンド棒
４００  挟台
４１０  内向き側
４１１  上平面
４１２  下平面
４１３  湾曲面
４２０  外向き側
４２１  上凸部
４２２  下凸部
４２３  凹部
４２４  上穿孔
４２５  下穿孔
４３０  端側
５００  ソフトガスケット
５１０  密着部
５２０  位置制限部
５３０  対応側
５４０  挟み押さえ側
５５０  凸紋
６００  止付ネジ群
６１０  押し上げ端
６２０  駆動端
７００  自転車
７１０  チェーンステイ
Ｌ１  中心線
Ｌ２  中心線
【図１】
0003234713.tif 000003
【図２】
0003234713.tif 000004
【図３】
0003234713.tif 000005
【図４】
0003234713.tif 000006
【図５】
0003234713.tif 000007
【図６】
0003234713.tif 000008
【図７】
0003234713.tif 000009
【図８】
0003234713.tif 000010